(57)【要約】      （修正有）【課題】ゴミの集積所において、カラスによるゴミの散乱を防止し、且つ、ゴミの投入、回収作業が簡単で、美観を損なわないカラスよけ袋状ネットを提供する。【解決手段】ゴミ集積用の袋状ネットにおいて、ネットを用いて四角形状袋体の本体下部袋体と、本体下部袋体の上部に、それぞれ三角形の本体上部背面と、本体上部左面と、本体上部右面と、ゴミ投入・回収口面４を有し、本体上部左面と本体上部右面はそれぞれ本体上部背面の辺に接合され、本体上部背面と、ゴミ投入・回収口面の頂点１０を一点方向に引き上げることにより、本体上部四角錐体が形成され、本体上部四角錐体のゴミ投入・回収口面が、開閉可能であることを特徴とする。【選択図】図３
0003228895.tif 000002
【実用新案登録請求の範囲】
【請求項１】
ゴミ集積用の袋状ネットにおいて、ネットを用いて四角形状袋体の本体下部袋体と、前記本体下部袋体の上部に、それぞれ三角形の本体上部背面と、本体上部左面と、本体上部右面と、ゴミ投入・回収口面を有し、前記本体上部左面と本体上部右面はそれぞれ本体上部背面の辺に接合され、前記本体上部背面と、ゴミ投入・回収口面の頂点を一点方向に引き上げることにより、本体上部四角錐体が形成され、前記本体上部四角錐体のゴミ投入・回収口面が、開閉可能であることを特徴とする袋状ネット。
【請求項２】
四角形状のネットの、四辺のそれぞれ二点を結束することにより、前記本体下部袋体が形成されていることを特徴とする請求項１に記載の袋状ネット。
【請求項３】
前記本体上部背面が、台形の形状をなしていることを特徴とする請求項１又は２に記載の袋状ネット。
【請求項４】
前記ゴミ投入・回収口面と本体上部左面、前記ゴミ投入・回収口面と本体上部右面がそれぞれ隣り合う辺に、ファスナー等の開閉具を備えたことを特徴とする請求項１又は３に記載の袋状ネット。
【請求項５】
前記本体上部背面とゴミ投入・回収口面のそれぞれ頂点に、装着部材を備えたことを特徴とする請求項１又は３に記載の袋状ネット。
【請求項６】
請求項１又は３の何れかに記載の袋状ネットを、固定体に連結するための連結部材と、袋状ネットの装着部材によって袋状ネットを吊り下げるための吊り下げ具を備えたことを特徴とするベルト本体。
【考案の詳細な説明】
【技術分野】
【０００１】  本考案は、家庭ゴミの集積場所における、カラスによるゴミの散乱被害を防止するための袋状ネットに関する。
【背景技術】
【０００２】  この種の防鳥ネットとして、本出願人の提案に係る防鳥ネットが公知である（特許文献１）。そこでは、筒状に縫合したネットの上部開口部をゴミ投入口、下部開口部をゴミ収集口とし、上部開口周縁部にロープ体を取り付けて、それを吊り具で支持体から吊り下げる構造にしているが、問題がないわけではない。
【先行技術文献】
【特許文献】
【０００３】
【特許文献１】登録実用新案第３０６９６１７号公報（０００４〜００１１、図１）
【考案の概要】
【考案が解決しようとする課題】
【０００４】  上記防鳥ネットは、上部開口周縁部にロープ体を取り付け、それを吊り具で支持体から吊り下げる構造になっているが、ゴミ袋が多く高くまで投入されるほど、ネット本体が重さで沈み込むことや、ゴミ袋の偏りによるネット本体の傾きによって丸い投入口が歪に変形し、ゴミ投入口が上を向いた状態で、且つ、充分な広さを保つことが難しくなり、簡単にゴミ袋を投入することが困難になるという問題がある。【０００５】  上記防鳥ネットは、ゴミ収集口として底がすっぽり空いた形状になっているため、ゴミの偏りによってネット本体が傾くと、ゴミ収集口からゴミ袋がはみ出すことになり、又、ゴミ袋の下敷きになったネットはゴミの重量によって引き上げが困難になり、収集作業が手間取るという問題がある。【０００６】  上記防鳥ネットは、上部開口周縁部や蓋が設置されているため、その大きさより小さく畳むことができず、又、畳んだ防鳥ネットの収納機能を備えていない。【０００７】  本考案は従来技術の問題を解消することのできる、より有効な袋状ネットを提供することを目的とする。
【課題を解決するための手段】
【０００８】  ゴミ集積用の袋状ネットにおいて、ネットを用いて四角形状袋体の本体下部袋体と、前記本体下部袋体の上部に、それぞれ三角形の本体上部背面と、本体上部左面と、本体上部右面と、ゴミ投入・回収口面を有し、前記本体上部左面と本体上部右面はそれぞれ本体上部背面の辺に接合され、前記本体上部背面と、ゴミ投入・回収口面の頂点を一点方向に引き上げることにより、本体上部四角錐体が形成され、前記本体上部四角錐体のゴミ投入・回収口面が、開閉可能であることを特徴とする袋状ネット。【０００９】  又、四角形状のネットの、四辺のそれぞれ二点を結束することにより、前記本体下部袋体が形成されていることを特徴とする袋状ネット。【００１０】  又、前記本体上部背面が、台形の形状をなしていることを特徴とする袋状ネット。【００１１】  又、前記ゴミ投入・回収口面と本体上部左面、前記ゴミ投入・回収口面と本体上部右面がそれぞれ隣り合う辺に、ファスナー等の開閉具を備えたことを特徴とする袋状ネット。【００１２】  又、前記本体上部背面とゴミ投入・回収口面のそれぞれ頂点に、装着部材を備えたことを特徴とする袋状ネット。【００１３】  袋状ネットを、固定体に連結するための連結部材と、袋状ネットの装着部材によって袋状ネットを吊り下げるための吊り下げ具を備えたことを特徴とするベルト本体。
【考案の効果】
【００１４】  本考案における袋状ネット本体２は、上部前面のゴミ投入・回収口面４を開閉して得られる三角形のゴミ投入・回収口３を備え、ゴミ投入・回収口３は袋状ネット本体頂点Ａから吊り下げる構造により、ゴミ袋２２の重さによって三角形のゴミ投入・回収口３が広く保たれ、ゴミ袋２２の投入が容易で、且つ、収集作業も容易に行うことができる。【００１５】  本体側装着部材１１とゴミ投入・回収口面装着部材１０を合わせて一点で吊り下げる構造により、ゴミ投入・回収口面４が蓋の役割を果たし、又、本体下部袋体８の底部分が空いていない袋状であるため、ゴミ袋２２がはみ出すことなく、カラスの被害を防ぐことができる。【００１６】  使用後の袋状ネット本体２は小さく畳むことができ、ベルト本体１７の収納機能によって、コンパクトに収納することが可能なため、美観を損なわない。
【図面の簡単な説明】
【００１７】
【図１】実施の形態１の袋状ネット本体２を示す斜視図である。
【図２】実施の形態１の袋状ネットの実施形態を示す斜視図である。
【図３】実施の形態１の袋状ネットのゴミ投入・回収口面を開けた実施形態を示す斜視図である。
【図４】ベルト本体を示す斜視図である。
【図５】実施の形態１の袋状ネット本体２を収納した状態を示す斜視図である
【図６】実施の形態１と実施の形態３のネットの裁断と立体化する方法を示す平面図である。
【図７】実施の形態２の袋状ネット本体２−１を示す斜視図である。
【図８】実施の形態２の袋状ネットの実施形態を示す斜視図である。
【図９】実施の形態２の袋状ネットのゴミ投入・回収口面を開けた実施形態を示す斜視図である。
【図１０】実施の形態２の袋状ネット本体２−１を収納した状態を示す斜視図である
【図１１】実施の形態２と実施の形態４のネットの裁断と立体化する方法を示す平面図である。
【図１２】実施の形態３の袋状ネットの実施形態を示す斜視図である。
【図１３】実施の形態４の袋状ネットの実施形態を示す斜視図である。
【考案を実施するための形態】
【００１８】  （実施の形態１）
本考案の実施の形態１について図を参照して説明する。
図１は、袋状ネット本体２を示す斜視図であり、図６のネット１を立体化することによって形成する。
【００１９】  図２は、実施形態を示す斜視図であり、袋状ネット本体２は下部が四角形状袋体の本体下部袋体８、上部が三角形の四面からなる四角錐状の本体上部四角錐体９の形態からなり、前記袋状ネット本体２は、ベルト本体１７によって固定体２１から吊り下げられ、袋状ネット本体２の底面が地面に接した状態を保持する。
【００２０】  図３で示す通り、袋状ネット本体２は、ゴミ投入・回収口面装着部材１０の着脱によって、ゴミ投入・回収口面４が結束体ｃ−１、結束体ｄ−１を支点に開閉し、広いゴミ投入・回収口３を備える。
ゴミ袋２２の投入、及び回収作業は、ゴミ投入・回収口面４を開いた状態で行うことができる。
【００２１】  図４の（ア）で示す通り、ベルト本体１７は、ベルト１６にベルト側吊り下げ具１８、ベルト側固定体連結部材２０、ベルト側ネット収納装着部材１９を有し、固定体２１と袋状ネット本体２との連結と、袋状ネット本体２の収納機能を備える。又、図４の（イ）で示す通り、ベルト本体１７は、ベルト１６にベルト側吊り下げ具１８、ベルト側固定体連結部材２０、ベルト側ネット収納具１９−１を有し、固定体２１と袋状ネット本体２との連結と、袋状ネット本体２の収納機能を備える。
状況に応じて、（ア）、（イ）のどちらの形態を用いても構わず、（ア）、（イ）のどちらの形態ともベルト本体１７とする。
【００２２】  図２で示す通り、ベルト本体１７は、柵などの固定体２１にベルト１６とベルト側固定体連結部材２０によって装着し、ベルト側吊り下げ具１８に、袋状ネット本体２の本体側装着部材１１とゴミ投入・回収口面装着部材１０を装着することによって、ゴミ投入・回収口面４が閉じた状態の袋状ネット本体２が設置される。
【００２３】  図５の（ア）で示す通り、ベルト側吊り下げ具１８に本体側装着部材１１とゴミ投入・回収口面装着部材１０を装着し、袋状ネット本体２を吊り下げたまま小さく畳み、ベルト１６で束ねて、ベルト側ネット収納装着部材１９をベルト側吊り下げ具１８に装着することで袋状ネット本体２を収納できる。又、図５の（イ）で示す通り、ベルト側吊り下げ具１８に本体側装着部材１１とゴミ投入・回収口面装着部材１０を装着し、袋状ネット本体２を吊り下げたまま小さく畳み、ベルト側ネット収納具１９−１に袋状ネット本体２を収納できる。
【００２４】  袋状ネット本体２の大きさは、ゴミ袋２２の収納量やごみ集積所のスペースに応じた最適な大きさに設定し、且つ、ネット、ベルト、係合部材の材質や接合方法なども収集場所の状況に合わせた最適な方法を選択できるものとする。
【００２５】  （実施の形態２）
実施の形態２は、実施の形態１の本体上部背面５の三角形の形状を、台形の形状の本体上部背面５−１にして、前記本体上部背面５−１の本体上部背面上辺左端１３が本体上部左面６−１側に、本体上部背面上辺右端１４が本体上部右面７−１側に折り曲がることにより、本体上部四角錐体９のネットの隙間をより少ない本体上部四角錐体９−１にした袋状ネットの形態である。
【００２６】  本考案の実施の形態２について図を参照して説明する。
図７は、袋状ネット本体２−１を示す斜視図であり、図１１のネット１−１を立体化することによって形成する。
【００２７】  図８は、実施形態を示す斜視図であり、袋状ネット本体２−１は下部が四角形状袋体の本体下部袋体８−１、上部が四角錐状の本体上部四角錐体９−１の形態からなり、前記袋状ネット本体２−１は、ベルト本体１７によって固定体２１から吊り下げられ、袋状ネット本体２−１の底面が地面に接した状態を保持する。
【００２８】  図９で示す通り、袋状ネット本体２−１は、ゴミ投入・回収口面装着部材１０−１の着脱によって、ゴミ投入・回収口面４−１が結束体ｇ−１、結束体ｈ−１を支点に開閉し、広いゴミ投入・回収口３−１を備える。
ゴミ袋２２の投入、及び回収作業は、ゴミ投入・回収口面４−１を開いた状態で行うことができる。
【００２９】  図４の（ア）で示す通り、ベルト本体１７は、ベルト１６にベルト側吊り下げ具１８、ベルト側固定体連結部材２０、ベルト側ネット収納装着部材１９、を有し、固定体２１と袋状ネット本体２−１との連結と、袋状ネット本体２−１の収納機能を備える。又、図４の（イ）で示す通り、ベルト本体１７は、ベルト１６にベルト側吊り下げ具１８、ベルト側固定体連結部材２０、ベルト側ネット収納具１９−１を有し、固定体２１と袋状ネット本体２−１との連結と、袋状ネット本体２−１の収納機能を備える。
状況に応じて、（ア）、（イ）のどちらの形態を用いても構わず、（ア）、（イ）のどちらの形態ともベルト本体１７とする。
【００３０】  図８で示す通り、ベルト本体１７は、柵などの固定体２１にベルト１６とベルト側固定体連結部材２０によって装着し、ベルト側吊り下げ具１８に、袋状ネット本体２−１の本体側装着部材１１−１とゴミ投入・回収口面装着部材１０−１を装着することによって、ゴミ投入・回収口面４−１が閉じた状態の袋状ネット本体２−１が設置される。
【００３１】  図１０の（ア）で示す通り、ベルト側吊り下げ具１８に本体側装着部材１１−１とゴミ投入・回収口面装着部材１０−１を装着し、袋状ネット本体２−１を吊り下げたまま小さく畳み、ベルト１６で束ねて、ベルト側ネット収納装着部材１９をベルト側吊り下げ具１８に装着することで袋状ネット本体２−１を収納できる。又、図１０の（イ）で示す通り、ベルト側吊り下げ具１８に本体側装着部材１１−１とゴミ投入・回収口面装着部材１０−１を装着し、袋状ネット本体２−１を吊り下げたまま小さく畳み、ベルト側ネット収納具１９−１に袋状ネット本体２−１を収納できる。
【００３２】  袋状ネット本体２−１の大きさは、ゴミ袋２２の収納量やごみ集積所のスペースに応じた最適な大きさに設定し、且つ、ネット、ベルト、係合部材の材質や接合方法なども収集場所の状況に合わせた最適な方法を選択できるものとする。
【００３３】  （実施の形態３）
実施の形態３は、図１２で示すとおり、実施の形態１のゴミ投入・回収口面４を、ファスナー等の開閉具Ｎによって開閉可能にした形態であり、ゴミの量や設置場所の条件などによってこの形態にすることができる。
【００３４】  （実施の形態４）
実施の形態４は、図１３で示すとおり、実施の形態２のゴミ投入・回収口面４−１を、ファスナー等の開閉具Ｎ−１によって開閉可能にした形態であり、ゴミの量や設置場所の条件などによってこの形態にすることができる。
【実施例】
【実施例１】
【００３５】  本考案の実施の形態１について、具体的な実施例１を図を参照して説明する。
図６は、ネットの裁断と立体化する方法を示す平面図であり、ネット１を図の四角形に、袋状ネット本体頂点Ａから本体上部左面頂点Ｃへ、本体上部左面頂点Ｃからゴミ投入・回収口面頂点Ｂへ、ゴミ投入・回収口面頂点Ｂから本体上部右面頂点Ｄへ、本体上部右面頂点Ｄから袋状ネット本体頂点Ａへ直線に裁断し、裁断した四角形の周縁部にロープ体１５を接合することによって周縁部を強化する。ロープ体１５の接合は、ポリエチレン、天然材の紐などを用いて結び付けるか、周縁部をロープ体１５が通せる幅に折り返して縫合し、ロープ体１５を通すことによって行う。
周縁部の強化は、ネット１の縁を折り重ねて縫製するなどしても構わない。【００３６】  次に図６で示すとおり、袋状ネット本体頂点Ａに本体側装着部材１１を接合し、ゴミ投入・回収口面頂点Ｂにゴミ投入・回収口面装着部材１０を接合する。
本体側装着部材１１とゴミ投入・回収口面装着部材１０は、輪形、又はＳ字フック等の引っ掛け具を用い、引っ掛け具の材質は金属、プラスチック、ロープ等を使用でき、紐等によって周縁部に接合する。【００３７】  次に図６で示すとおり、結束辺ａを結束して結束体ａ−１を形成し、結束辺ｂを結束して結束体ｂ−１を形成し、結束辺ｃを結束して結束体ｃ−１を形成し、結束辺ｄを結束して結束体ｄ−１を形成することによって、図１で示す四角形状袋体の本体下部袋体８を形成する。
結束辺の幅は、ゴミの収納量に応じたネットの大きさや、ゴミ集積所における袋状ネット本体２の設置条件などに応じた最適な幅に設定できるものとする。
結束体は、結束辺の縁に沿ってネットの網目に結束バンド、又は、紐等を縫い通し、それを結束することによって形成する。【００３８】  次に図１で示すとおり、本体上部背面左接合辺Ｇに本体上部左面接合辺Ｆを接合し、本体上部背面右接合辺Ｉに本体上部右面接合辺Ｈを接合する。
図６で示すとおり、本体上部左面接合辺Ｆの幅は、結束体ａ−１から本体上部左面頂点Ｃまでであり、本体上部背面左接合辺Ｇは本体上部左面接合辺Ｆと同じ幅に設定する。本体上部右面接合辺Ｈの幅は、結束体ｂ−１から本体上部右面頂点Ｄまでであり、本体上部背面右接合辺Ｉは本体上部右面接合辺Ｈと同じ幅に設定する。
各接合辺の接合は、ポリエチレン、天然材などの紐を用いて縫合する。【００３９】  図２で示すとおり、本体側装着部材１１とゴミ投入・回収口面装着部材１０をあわせて吊り下げることで、本体下部の本体下部袋体８と、本体上部の本体上部四角錐体９からなる袋状ネット本体２を形成する。【００４０】  図４の（ア）で示すとおり、ベルト１６にベルト側吊り下げ具１８を接合し、ベルト１６の下端にベルト側ネット収納装着部材１９を接合し、ベルト１６の上部にベルト側固定体連結部材２０を接合すことで、ベルト本体１７を形成する。又、図４の（イ）で示すとおり、ベルト１６にベルト側吊り下げ具１８を接合し、ベルト１６の下端にベルト側ネット収納具１９−１を接合し、ベルト１６の上部にベルト側固定体連結部材２０を接合することで、ベルト本体１７を形成する。
ベルト１６は、ゴム、ナイロン、布等の材質を適宜用い、固定体２１から袋状ネット本体２を吊るす長さと、袋状ネット本体２を束ねる長さに調整できる。
ベルト側吊り下げ具１８、ベルト側ネット収納装着部材１９、ベルト側固定体連結部材２０の材質は、金属、プラスチック等を適宜用いることができ、ベルト１６に縫合、又は、装着する。
ベルト側ネット収納具１９−１の材質は、ゴム、ナイロン等の材質を適宜用いることができ、ベルト１６に縫合、又は、装着する。
【実施例２】
【００４１】  本考案の実施の形態２について、具体的な実施例２を図を参照して説明する。
図１１は、ネットの裁断と立体化する方法を示す平面図であり、ネット１−１を図の五角形に、本体上部背面上辺左端１３から本体上部左面頂点Ｃ−１へ、本体上部左面頂点Ｃ−１からゴミ投入・回収口面頂点Ｂ−１へ、ゴミ投入・回収口面頂点Ｂ−１から本体上部右面頂点Ｄ−１へ、本体上部右面頂点Ｄ−１から本体上部背面上辺右端１４へ、本体上部背面上辺右端１４から本体上部背面上辺左端１３へ直線に裁断し、五角形の周縁部にロープ体１５−１を接合することによって周縁部を強化する。ロープ体１５−１の接合は、ポリエチレン、天然材の紐などを用いて結び付けるか、周縁部をロープ体１５−１が通せる幅に折り返して縫合し、ロープ体１５−１を通すことによって行う。
周縁部の強化は、ネット１−１の縁を折り重ねて縫製するなどしても構わない。【００４２】  次に図１１で示すとおり、本体上部背面上辺１２の中央の本体上部背面上辺中央点Ｅに本体側装着部材１１−１を接合し、ゴミ投入・回収口面頂点Ｂ−１にゴミ投入・回収口面装着部材１０−１を接合する。
本体側装着部材１１−１とゴミ投入・回収口面装着部材１０−１は、輪形、又はＳ字フック等の引っ掛け具を用い、引っ掛け具の材質は金属、プラスチック、ロープ等を使用でき、紐等によって周縁部に接合する。【００４３】  次に図１１で示すとおり、結束辺ｅを結束して結束体ｅ−１を形成し、結束辺ｆを結束して結束体ｆ−１を形成し、結束辺ｇを結束して結束体ｇ−１を形成し、結束辺ｈを結束して結束体ｈ−１を形成することによって、図７で示す四角形状袋体の本体下部袋体８−１を形成する。
結束辺の幅は、ゴミの収納量に応じたネットの大きさや、ゴミ集積所における袋状ネット本体２−１の設置条件などに応じた最適な幅に設定できるものとする。
結束体は、結束辺の縁に沿ってネットの網目に結束バンド、又は、紐等を縫い通し、それを結束することによって形成する。【００４４】  次に図７で示すとおり、本体上部背面左接合辺Ｇ−１に本体上部左面接合辺Ｆ−１を接合し、本体上部背面右接合辺Ｉ−１に本体上部右面接合辺Ｈ−１を接合する。
図１１で示すとおり、本体上部左面接合辺Ｆ−１の幅は、結束体ｅ−１から本体上部左面頂点Ｃ−１までであり、本体上部背面左接合辺Ｇ−１は本体上部左面接合辺Ｆ−１と同じ幅に設定する。本体上部右面接合辺Ｈ−１の幅は、結束体ｆ−１から本体上部右面頂点Ｄ−１までであり、本体上部背面右接合辺Ｉ−１は本体上部右面接合辺Ｈ−１と同じ幅に設定する。
各接合辺の接合は、ポリエチレン、天然材などの紐を用いて縫合する。【００４５】  図８で示すとおり、本体側装着部材１１−１とゴミ投入・回収口面装着部材１０−１をあわせて吊り下げることで、本体下部の本体下部袋体８−１と、本体上部の本体上部四角錐体９−１からなる袋状ネット本体２−１を形成する。【００４６】  図４の（ア）で示すとおり、ベルト１６にベルト側吊り下げ具１８を接合し、ベルト１６の下端にベルト側ネット収納装着部材１９を接合し、ベルト１６の上部にベルト側固定体連結部材２０を接合すことで、ベルト本体１７を形成する。又、図４の（イ）で示すとおり、ベルト１６にベルト側吊り下げ具１８を接合し、ベルト１６の下端にベルト側ネット収納具１９−１を接合し、ベルト１６の上部にベルト側固定体連結部材２０を接合することで、ベルト本体１７を形成する。
ベルト１６は、ゴム、ナイロン、布等の材質を適宜用い、固定体２１から袋状ネット本体２−１を吊るす長さと、袋状ネット本体２−１を束ねる長さに調整できる。
ベルト側吊り下げ具１８、ベルト側ネット収納装着部材１９、ベルト側固定体連結部材２０の材質は、金属、プラスチック等を適宜用いることができ、ベルト１６に縫合、又は、装着する。
ベルト側ネット収納具１９−１の材質は、ゴム、ナイロン等の材質を適宜用いることができ、ベルト１６に縫合、又は、装着する。
【実施例３】
【００４７】  本考案の実施の形態３について、具体的な実施例３を図を参照して説明する。
図１２は、実施の形態３の袋状ネットの実施形態を示す斜視図であり、実施の形態１の袋状ネット本体２の本体上部左面ファスナー接合辺Ｊとゴミ投入・回収口面ファスナー接合左辺Ｋにファスナー等の開閉具Ｎを接合し、本体上部右面ファスナー接合辺Ｍとゴミ投入・回収口面ファスナー接合右辺Ｌにファスナー等の開閉具Ｎを接合する。
ファスナー等の開閉具Ｎの接合は、ポリエチレン、天然材などの紐を用いて縫合する。【００４８】  図６で示すとおり、本体上部左面ファスナー接合辺Ｊの幅は、結束体ｃ−１から本体上部左面頂点Ｃまでであり、ゴミ投入・回収口面ファスナー接合左辺Ｋは本体上部左面ファスナー接合辺Ｊと同じ幅に設定する。本体上部右面ファスナー接合辺Ｍの幅は、結束体ｄ−１から本体上部右面頂点Ｄまでであり、ゴミ投入・回収口面ファスナー接合右辺Ｌは本体上部右面ファスナー接合辺Ｍと同じ幅に設定する。
【実施例４】
【００４９】  本考案の実施の形態４について、具体的な実施例４を図を参照して説明する。
図１３は、実施の形態４の袋状ネットの実施形態を示す斜視図であり、実施の形態２の袋状ネット本体２−１の本体上部左面ファスナー接合辺Ｊ−１とゴミ投入・回収口面ファスナー接合左辺Ｋ−１にファスナー等の開閉具Ｎ−１を接合し、本体上部右面ファスナー接合辺Ｍ−１とゴミ投入・回収口面ファスナー接合右辺Ｌ−１にファスナー等の開閉具Ｎ−１を接合する。
ファスナー等の開閉具Ｎ−１の接合は、ポリエチレン、天然材などの紐を用いて縫合する。【００５０】  図１１で示すとおり、本体上部左面ファスナー接合辺Ｊ−１の幅は、結束体ｇ−１から本体上部左面頂点Ｃ−１までであり、ゴミ投入・回収口面ファスナー接合左辺Ｋ−１は本体上部左面ファスナー接合辺Ｊ−１と同じ幅に設定する。本体上部右面ファスナー接合辺Ｍ−１の幅は、結束体ｈ−１から本体上部右面頂点Ｄ−１までであり、ゴミ投入・回収口面ファスナー接合右辺Ｌ−１は本体上部右面ファスナー接合辺Ｍ−１と同じ幅に設定する。
【産業上の利用可能性】
【００５１】  この考案は、簡単な構造で、且つ、少ない材料で構成されるので安価で作成でき、取り扱いが簡単にしてカラスの被害を防止できる。又、多様な条件のゴミ集積所に設置が可能で、収納が容易なために美観を損ねず、ごみ集積所を各家庭持ち回りで設置が行われる自治体等での対応が期待できるため、広い普及の可能性を有する。
【符号の説明】
【００５２】１    ネット
１−１  ネット
２    袋状ネット本体
２−１  袋状ネット本体
３    ゴミ投入・回収口
３−１  ゴミ投入・回収口
４    ゴミ投入・回収口面
４−１  ゴミ投入・回収口面
５    本体上部背面
５−１  本体上部背面
６    本体上部左面
６−１  本体上部左面
７    本体上部右面
７−１  本体上部右面
８    本体下部袋体
８−１  本体下部袋体
９    本体上部四角錐体
９−１  本体上部四角錐体
１０    ゴミ投入・回収口面装着部材
１０−１  ゴミ投入・回収口面装着部材
１１    本体側装着部材
１１−１  本体側装着部材
１２    本体上部背面上辺
１３    本体上部背面上辺左端
１４    本体上部背面上辺右端
１５    ロープ体
１５−１  ロープ体
１６    ベルト
１７    ベルト本体
１８    ベルト側吊り下げ具
１９    ベルト側ネット収納装着部材
１９−１  ベルト側ネット収納具
２０    ベルト側固定体連結部材
２１    固定体
２２    ゴミ袋
ａ      結束辺
ａ−１  結束体
ｂ      結束辺
ｂ−１  結束体
ｃ      結束辺
ｃ−１  結束体
ｄ      結束辺
ｄ−１  結束体
ｅ      結束辺
ｅ−１  結束体
ｆ      結束辺
ｆ−１  結束体
ｇ      結束辺
ｇ−１  結束体
ｈ      結束辺
ｈ−１  結束体
Ａ    袋状ネット本体頂点
Ｂ    ゴミ投入・回収口面頂点
Ｂ−１  ゴミ投入・回収口面頂点
Ｃ    本体上部左面頂点
Ｃ−１  本体上部左面頂点
Ｄ    本体上部右面頂点
Ｄ−１  本体上部右面頂点
Ｅ    本体上部背面上辺中央点
Ｆ    本体上部左面接合辺
Ｆ−１  本体上部左面接合辺
Ｇ    本体上部背面左接合辺
Ｇ−１  本体上部背面左接合辺
Ｈ    本体上部右面接合辺
Ｈ−１  本体上部右面接合辺
Ｉ    本体上部背面右接合辺
Ｉ−１  本体上部背面右接合辺
Ｊ    本体上部左面ファスナー接合辺
Ｊ−１本体上部左面ファスナー接合辺
Ｋ    ゴミ投入・回収口面ファスナー接合左辺
Ｋ−１ゴミ投入・回収口面ファスナー接合左辺
Ｌ    ゴミ投入・回収口面ファスナー接合右辺
Ｌ−１ゴミ投入・回収口面ファスナー接合右辺
Ｍ    本体上部右面ファスナー接合辺
Ｍ−１本体上部右面ファスナー接合辺
Ｎ    ファスナー等の開閉具
Ｎ−１ファスナー等の開閉具
【図１】
0003228895.tif 000003
【図２】
0003228895.tif 000004
【図３】
0003228895.tif 000005
【図４】
0003228895.tif 000006
【図５】
0003228895.tif 000007
【図６】
0003228895.tif 000008
【図７】
0003228895.tif 000009
【図８】
0003228895.tif 000010
【図９】
0003228895.tif 000011
【図１０】
0003228895.tif 000012
【図１１】
0003228895.tif 000013
【図１２】
0003228895.tif 000014
【図１３】
0003228895.tif 000015
【手続補正書】
【提出日】令和2年7月27日(2020.7.27)
【手続補正１】
【補正対象書類名】実用新案登録請求の範囲
【補正対象項目名】全文
【補正方法】変更
【補正の内容】
【実用新案登録請求の範囲】
【請求項１】
ゴミ集積用の袋状ネットにおいて、ネットを用いて四角形状袋体の本体下部袋体と、前記本体下部袋体の上部に、それぞれ三角形の本体上部背面と、本体上部左面と、本体上部右面と、ゴミ投入・回収口面を有し、前記本体上部左面と本体上部右面はそれぞれ本体上部背面の辺に接合され、前記本体上部背面と、ゴミ投入・回収口面の頂点を一点方向に引き上げることにより、本体上部四角錐体が形成され、前記本体上部四角錐体のゴミ投入・回収口面が、開閉可能であることを特徴とする袋状ネット。
【請求項２】
四角形状のネットの、四辺それぞれの一部分である結束辺を結束して、四つの結束体を形成することで、前記本体下部袋体が形成されていることを特徴とする請求項１に記載の袋状ネット。
【請求項３】
前記本体上部背面が、台形の形状をなしていることを特徴とする請求項１又は２に記載の袋状ネット。
【請求項４】
前記ゴミ投入・回収口面と本体上部左面、前記ゴミ投入・回収口面と本体上部右面がそれぞれ隣り合う辺に、ファスナーを備えたことを特徴とする請求項１又は３に記載の袋状ネット。
【請求項５】
前記本体上部背面とゴミ投入・回収口面のそれぞれ頂点に、装着部材を備えたことを特徴とする請求項１又は３に記載の袋状ネット。
【請求項６】
請求項１又は３の何れかに記載の袋状ネットを、固定体に連結するための連結部材と、袋状ネットの装着部材によって袋状ネットを吊り下げるための吊り下げ具を備えたことを特徴とするベルト本体。